(57)【要約】【課題】乳幼児用掛け具として使用可能であると共に、スリングとしても使用可能であって、且つ乳幼児用掛け具としての使用状態から即座にスリングとしての使用状態に移行することができるスリング兼用掛け具を提供する。【解決手段】スリングパッド１１は、乳幼児用掛け具として使用可能に形成されたシート状の本体部１２と、その本体部１２に両端が連結されることにより環状をなす肩掛けベルトとして使用可能に形成された一対のベルト部１５を有している。本体部１２の裏面側とベルト部１５における本体部１２の裏面との対向面にはベルト部１５を本体部１２の裏面上に重ねた状態にして係止可能なベルト部係止手段としての雄ホック１７ａ〜２０ａと雌ホック１７ｂ〜２０ｂがそれぞれ設けられている。【選択図】図２
2008245750.tif 000002
【特許請求の範囲】
【請求項１】
乳幼児用掛け具として使用可能に形成されたシート状の本体部と、
該本体部に両端が連結されることにより環状をなす肩掛けベルトとして使用可能に形成されたベルト部と、
該ベルト部を前記本体部の一面側に係止可能なベルト部係止手段とを備え、
前記ベルト部は、前記肩掛けベルトとしての不使用時には前記ベルト部係止手段により前記本体部の一面側に係止状態とされる一方、前記肩掛けベルトとしての使用時には前記ベルト部係止手段による前記本体部の一面側に対する係止状態が解除されることを特徴とするスリング兼用掛け具。
【請求項２】
前記本体部は平面視四角形状に形成されるとともに、前記本体部における前記一面上の両端部には、該両端部の各辺に沿って延びる帯状のベルト部が前記ベルト部係止手段により前記本体部の前記一面上に重なった状態で係止されるようにして、一つずつ設けられていることを特徴とする請求項１に記載のスリング兼用掛け具。
【請求項３】
前記本体部の前記一面側の四隅には、係脱可能に対応する雌側係止部材と雄側係止部材が前記本体部の前記一面側の対角線上に同種の係止部材が位置するように設けられていることを特徴とする請求項２に記載のスリング兼用掛け具。
【請求項４】
前記各ベルト部は、その両側縁のうち前記本体部の各辺と対応する側の外側縁における長手方向両端部側の部分が、そのベルト部の幅をベルト部の長手方向の端部側ほど次第に幅狭とするように、前記本体部の対応する各辺から端部側ほど次第に離間する斜状に形成されていることを特徴とする請求項３に記載のスリング兼用掛け具。
【請求項５】
前記各ベルト部は、その長手方向の両端部が前記ベルト部の長手方向に対して斜状に延びる縫合線を含む固定部を介して前記本体部の前記一面に連結されており、前記肩掛けベルトとして使用される際には、前記固定部の縫合線で折り返されることを特徴とする請求項２〜４のうち何れか一項に記載のスリング兼用掛け具。
【請求項６】
前記ベルト部係止手段は、係脱可能に対応する雌側係止部材と雄側係止部材とからなり、
前記各ベルト部のうち、一方のベルト部において前記本体部の前記一面側と対向する面には雌側係止部材が設けられると共に、前記本体部の前記一面側で前記一方のベルト部の雌側係止部材と対応する位置には雄側係止部材が設けられ、
前記各ベルト部のうち、他方のベルト部において前記本体部の前記一面側と対向する面には雄側係止部材が設けられると共に、前記本体部の前記一面側で前記他方のベルト部の雄側係止部材と対応する位置には雌側係止部材が設けられていることを特徴とする請求項２〜５のうち何れか一項に記載のスリング兼用掛け具。
【発明の詳細な説明】
【技術分野】
【０００１】
本発明は、例えばタオルケットのような乳幼児用掛け具として使用可能であるととともに、乳幼児を包んで運搬するためのスリングとしても使用可能であるスリング兼用掛け具に関する。
【背景技術】
【０００２】
乳幼児を抱きかかえた際に両手が拘束されない軽量なベビーキャリアとして、例えば特許文献１に記載されるようなスリング式ベビーキャリア（以下、単にスリングという）が知られている。このスリングは、乳幼児を包み込んで運搬するスリングとしての使用時に乳幼児の背部に当てがわれる長方形状横幅広の調整布と、同じく使用時に乳幼児の股部をくぐる補強布と、同じく使用時に運搬者の肩部にかかる肩ベルトとを備えている。
【特許文献１】特開２００６−１９２２２１号公報
【発明の開示】
【発明が解決しようとする課題】
【０００３】
ところで、このようなスリングは、外出時など乳幼児を包み込んで運搬する必要があるときに使用するものであって、そのようなスリングとして使用しないときには、通常、タンス内などの他の場所に収納されている。そのため、乳幼児がベビーベッド内で毛布などの掛け具を掛けられて寝入っている場合において、例えば地震や火事などの非常時には、スリングをタンス内から取り出すのに手間がかかってしまい、緊急の使用に間に合わなくなるという問題があった。なお、そうした緊急時には、乳幼児の身体上に掛けられている毛布などの掛け具をスリングの代用として使用し、その掛け具に乳幼児を包み込んで運搬することも考えられるが、シート状をなす掛け具による乳幼児の運搬では、運搬者の両手が乳幼児を抱きかかえるために拘束されてしまい、何かと不便であった。
【０００４】
本発明は、このような課題に着目してなされたものであり、その目的とするところは、乳幼児用掛け具として使用可能であると共に、スリングとしても使用可能であって、且つ乳幼児用掛け具としての使用状態から即座にスリングとしての使用状態に移行することができるスリング兼用掛け具を提供することにある。
【課題を解決するための手段】
【０００５】
上記の目的を達成するために、本発明のスリング兼用掛け具は、乳幼児用掛け具として使用可能に形成されたシート状の本体部と、該本体部に両端が連結されることにより環状をなす肩掛けベルトとして使用可能に形成されたベルト部と、該ベルト部を前記本体部の一面側に係止可能なベルト部係止手段とを備え、前記ベルト部は、前記肩掛けベルトとしての不使用時には前記ベルト部係止手段により前記本体部の一面側に係止状態とされる一方、前記肩掛けベルトとしての使用時には前記ベルト部係止手段による前記本体部の一面側に対する係止状態が解除される。
【０００６】
上記構成によれば、ベルト部係止手段によりベルト部を本体部の一面側に係止状態にしたまま、その本体部におけるベルト部が係止された一面とは反対側の他面が乳幼児に触れるようにして、その本体部を乳幼児の身体上に掛けるようにすれば、ベルト部を乳幼児に絡ませることなく、乳幼児用掛け具として使用することができる。一方、その状態から、ベルト部係止手段によるベルト部の本体部に対する係止状態を解除し、その本体部により乳幼児を包み込むとともに、ベルト部により環状をなす肩掛けベルトを形成して肩に掛けるようにすれば、緊急時においても素早く乳幼児を包み込んで運搬可能なスリングとして使用することができる。
【０００７】
また、本発明のスリング兼用掛け具において、前記本体部は平面視四角形状に形成されるとともに、前記本体部における前記一面上の両端部には、該両端部の各辺に沿って延びる帯状のベルト部が前記ベルト部係止手段により前記本体部の前記一面上に重なった状態で係止されるようにして、一つずつ設けられている。
【０００８】
上記構成によれば、各ベルト部は、ベルト部係止手段により本体部の一面上に重なった状態に係止されることにより、本体部から大きく垂れ下がらず纏まりのある状態となって本体部と一体的に取り扱い可能な係止状態となる。したがって、このスリング兼用掛け具を洗濯する場合にベルト部がばらけてしまうことや、乳幼児用掛け具として使用した場合にベルト部が乳幼児に絡まったりすることを抑制できる。
【０００９】
また、本発明のスリング兼用掛け具において、前記本体部の前記一面側の四隅には、係脱可能に対応する雌側係止部材と雄側係止部材が前記本体部の前記一面側の対角線上に同種の係止部材が位置するように設けられている。
【００１０】
上記構成によれば、本体部を一面側が内側になるようにして２つ折りにし、その２つ折りにしたことにより対向することになった雌側係止部材と雄側係止部材とを係止させれば、本体部をベルト部が内側に隠された状態で半分のサイズになった乳幼児用掛け具として使用可能になる。そして、この場合において本体部の平面視形状が正方形でない場合には、２つ折りにする際の折曲方向を適宜に選択することにより、乳幼児の身体の成長段階に適合したサイズの乳幼児用掛け具として利用することができる。
【００１１】
また、本発明のスリング兼用掛け具において、前記各ベルト部は、その両側縁のうち前記本体部の各辺と対応する側の外側縁における長手方向両端部側の部分が、そのベルト部の幅をベルト部の長手方向の端部側ほど次第に幅狭とするように、前記本体部の対応する各辺から端部側ほど次第に離間する斜状に形成されている。
【００１２】
上記構成によれば、スリングとして使用する際に、各ベルト部の長手方向において幅広の中央部を肩に掛けることができるため、スリングとしての使用時の安定感が増すとともに、スリング使用者である運搬者にかかる負荷を抑制することができる。また、本体部の一面側において雌雄の各係止部材が設けられる四隅は、各ベルト部における外側縁の両端側の部分が本体部の対応する各辺からベルト部の長手方向端部側ほど次第に離間する斜状に形成されていることから、ベルト部により覆われることなく露出していることになる。したがって、雌雄の各係止部材をベルト部による制約を受けることなく、本体部の四隅に確実に配置することができ、スリングとして使用する際に、乳幼児を収容する本体部の内部空間を広く確保することができるようになる。
【００１３】
また、本発明のスリング兼用掛け具において、前記各ベルト部は、その長手方向の両端部が前記ベルト部の長手方向に対して斜状に延びる縫合線を含む固定部を介して前記本体部の前記一面に連結されており、前記肩掛けベルトとして使用される際には、前記固定部の縫合線で折り返される。
【００１４】
上記構成によれば、スリングとして使用される際に、乳幼児を包み込んだ本体部の荷重は、主に、各ベルト部の両端部において折り返しされた斜状の縫合線の部分にかかる態様となる。そのため、本体部内に乳幼児を収容して運搬者がベルト部を肩に掛けた場合には本体部の屈曲程度が緩和されて、乳幼児の体が過度に丸められることが抑制されるので、乳幼児が楽に呼吸を継続することのできる姿勢に保持される。
【００１５】
また、本発明のスリング兼用掛け具において、前記ベルト部係止手段は、係脱可能に対応する雌側係止部材と雄側係止部材とからなり、前記各ベルト部のうち、一方のベルト部において前記本体部の前記一面側と対向する面には雌側係止部材が設けられると共に、前記本体部の前記一面側で前記一方のベルト部の雌側係止部材と対応する位置には雄側係止部材が設けられ、前記各ベルト部のうち、他方のベルト部において前記本体部の前記一面側と対向する面には雄側係止部材が設けられると共に、前記本体部の前記一面側で前記他方のベルト部の雄側係止部材と対応する位置には雌側係止部材が設けられている。
【００１６】
上記構成によれば、本体部の一面側の両端部には、それぞれ雌側係止部材と雄側係止部材が設けられることになる。したがって、スリングとして使用する際には、前記本体部の一面側の両端部に設けられた雌側係止部材と雄側係止部材とを係止させることにより本体部を筒状に保持することが可能となり、その本体部内に乳幼児を収容した際に、乳幼児が外部に露出することを抑制してより確実に保持することができる。
【発明の効果】
【００１７】
本発明によれば、乳幼児用掛け具として使用可能であると共に、スリングとしても使用可能であって、且つ乳幼児用掛け具としての使用状態から即座にスリングとしての使用状態に移行することができる。
【発明を実施するための最良の形態】
【００１８】
以下、本発明を具体化した一実施形態を図１〜図３にしたがって説明する。
図１（ａ）（ｂ）に示すように、本実施形態におけるスリング兼用掛け具としてのスリングパッド１１は、平面視略長方形状をなすシート状の本体部１２を有している。この本体部１２は、図１（ａ）に示すように表面側の層となる第１層１３と、図１（ｂ）に示すように裏面側（一面側）の層となる第２層１４と、第１層１３と第２層１４との間に挟まれて中間層となる第３層（図示略）とを備えている。そして、これらの第１層１３と第２層１４及び第３層が積層された状態となって、本体部１２を短手方向（図１において上下方向、以下同じ）で５分割するように長手方向（図１において左右方向、以下同じ）に沿って延びる４本の縫い目１２ａ等により縫い合わされている。
【００１９】
ちなみに、この本体部１２は、その長手方向の長さを二分する折曲線Ｐに沿って裏面側の第２層１４が内側となるように２つ折りした場合には、乳幼児用掛け具として使用可能なサイズ（例えば、長辺寸法が８５ｃｍで短辺寸法が６３ｃｍ）となるような大きさに形成されている。そして、この本体部１２は、そのように２つ折りにした状態で乳幼児用掛け具として使用した場合に乳幼児の身体に触れる側となる表面側の第１層１３が肌触りのよいシンカーパイルからなると共に、裏面側の第２層１４が綿スムース晒からなり、中間層の第３層はシンカーパイルからなって、本体部１２の強度保持及びクッション性の向上を図っている。
【００２０】
図１（ｂ）に示すように、本体部１２の裏面側において短手方向の両端部には、本体部１２の長辺１２Ｌに沿って延びる帯状のベルト部１５が本体部１２の裏面上に重なるようにしてそれぞれ取り付けられている。各ベルト部１５は、強度的に優れるニット地晒からなり、それらの長手方向の両端部は本体部１２の裏面側に縫合されることにより本体部１２と連結されている。各ベルト部１５は、その長手方向の長さが本体部１２の長辺１２Ｌの長さと同じであり、それらの両端部が本体部１２の裏面に連結されることで、それらの中央部分が本体部１２から離間させられた場合には、本体部１２と共に環状をなす肩掛けベルトとして使用可能となるように形成されている。
【００２１】
各ベルト部１５の両側縁において本体部１２の長辺側の縁となる外側縁１５ａは、その長手方向の両端部側となる部分が、ベルト部１５の幅をベルト部１５の端部側ほど次第に幅狭とするように、本体部１２の長辺１２Ｌから徐々に離間するテーパ状になっている。ちなみに各ベルト部１５はベルト幅となる短手方向の幅寸法がベルト部１５における長手方向の中央部分で１５ｃｍ、その外側縁１５ａがテーパ状をなす両端部の各端縁で１０ｃｍとなるように形成されている。したがって、本体部１２の裏面側の四隅はベルト部１５の外側縁１５ａが両端側でテーパ状になっていることから、ベルト部１５の端部では覆われずに露出していることになる。なお、各ベルト部１５における内側縁１５ｂは本体部１２の長辺１２Ｌと平行な直線状をなしており、その両端側はテーパ状をなしていない。
【００２２】
図１（ｂ）に示すように、各ベルト部１５は先細りとなった両端部に三角形状の縫い目からなる固定部１６を有しており、この固定部１６により本体部１２に連結されている。すなわち、各ベルト部１５の両端部には、３本の縫合線１６ａ，１６ｂ，１６ｃによって略三角形状をなす固定部１６がそれぞれ形成されている。この場合、第１の縫合線１６ａはベルト部１５の長手方向の両端部でベルト部１５の短手方向に沿うように所定長さだけ直線状に形成されている。また、第２の縫合線１６ｂはベルト部１５の両端部でテーパ状をなす外側縁１５ａに沿うように第１の縫合線１６ａにおけるベルト部１５の外側縁１５ａ側となる一端から第１の縫合線１６ａと同一長さだけ直線状に形成されている。そして、第３の縫合線１６ｃは第１の縫合線１６ａと第２の縫合線１６ｂとにより二等辺三角形を形成するように第１の縫合線１６ａ及び第２の縫合線１６ｂの各先端間を結ぶように直線状に形成されている。したがって、第３の縫合線１６ｃは、ベルト部１５の長手方向に対して斜状に延びている。
【００２３】
また、図１（ｂ）に示すように、ベルト部１５が取り付けられた本体部１２の裏面側と該本体部１２の裏面に重なるベルト部１５の対向面との間には、ベルト部係止手段を構成するホック１７〜２０が設けられている。各ホック１７〜２０は、雌雄関係を有して係脱可能に対応する雄ホック（雄側係止部材）１７ａ〜２０ａと雌ホック（雌側係止部材）１７ｂ〜２０ｂからなっている。そして、図２（ａ）（ｂ）に示すように、本体部１２の裏面において一方（図２（ａ）では上方）のベルト部１５の長手方向略中央の二箇所と対応する位置には雄ホック１７ａ，１８ａが取り付けられるとともに、その一方のベルト部１５の長手方向略中央の二箇所には雌ホック１７ｂ，１８ｂが取り付けられている。さらに、図２（ａ）（ｂ）に示すように、本体部１２の裏面において他方（図２（ａ）では下方）のベルト部１５の長手方向略中央の二箇所と対応する位置には雌ホック１９ｂ，２０ｂが取り付けられるとともに、その他方のベルト部１５の長手方向略中央の二箇所には雄ホック１９ａ，２０ａが取り付けられている。
【００２４】
また、図１（ｂ）に示すように、本体部１２の裏面においてベルト部１５に覆われないで第２層１４が露出した状態にある四隅には、留め具としてのホック２１，２２（図３参照）が設けられている。このホック２１，２２は、雌雄関係を有して係脱可能に対応する雄ホック（雄側係止部材）２１ａ，２２ａと雌ホック（雌側係止部材）２１ｂ，２２ｂからなっている。そして、雌雄の種類が同種の雄ホック２１ａと雄ホック２２ａとが四隅のうち対角線上に位置する２つの隅に設けられるとともに、同じく雌ホック２１ｂと雌ホック２２ｂが四隅のうち対角線上に位置する他の２つの隅に設けられている。
【００２５】
次に、以上のように構成されたスリングパッド１１の作用について説明する。
まず、平常時においては、図１（ｂ）に示すように、本体部１２側の雄ホック１７ａ，１８ａと一方のベルト部１５側の雌ホック１７ｂ，１８ｂとをそれぞれ嵌め合わせると共に、他方のベルト部１５側の雄ホック１９ａ，２０ａと本体部１２側の雌ホック１９ｂ，２０ｂとをそれぞれ嵌め合わせておく。このようにしておくことにより、各ベルト部１５は、それらの長手方向の中央部が本体部１２から大きく垂れ下がらず纏まりのある状態となって、本体部１２と一体的に取り扱い可能な係止状態となる。
【００２６】
そして次には、本体部１２を折曲線Ｐで裏面の第２層１４が内側になるようにして２つ折りにする。そして、本体部１２の裏面の四隅に設けられた各ホック２１ａ，２１ｂ，２２ａ，２２ｂにおいて、本体部１２を２つ折りしたことにより互いに対向した位置関係となった雄ホック２１ａと雌ホック２２ｂとを嵌め合わせると共に、雄ホック２２ａと雌ホック２１ｂとを嵌め合わせる。すると、スリングパッド１１は、その本体部１２の大きさが半分になって乳幼児用掛け具として使用可能なサイズになると共に、肌触りのよい第１層１３が表面側となる。したがって、このような２つ折り状態にしたスリングパッド１１については、例えばベビーベット内に乳幼児を寝かしつける場合などにおいて、その表層の第１層１３が乳幼児の肌に触れるようにして掛ければ、乳幼児用掛け具として使用することが可能になる。
【００２７】
一方、スリングパッド１１を乳幼児用掛け具として使用している場合において、例えば地震や火事等の非常事態が起きたときには、その乳幼児を緊急に保護して運搬する必要がある。したがって、そのような非常時には、その時点において乳幼児用掛け具として使用していたスリングパッド１１を図３に示すように運搬者Ｍがベルト部１５を肩掛けベルトにして乳幼児Ｂを運搬可能なスリングとして使用できるようにする。
【００２８】
具体的には、まず、本体部１２を２つ折り状態にホック止めしている留め具としての各ホック２１，２２を外し、本体部１２を図１（ｂ）に示すような展開状態にする。次に、本体部１２の裏面側に各ベルト部１５を重ねた状態にホック止めしているベルト部係止手段としての各ホック１７〜２０を外す。すると、スリングパッド１１は、図２（ａ）に示すように、本体部１２の裏面側に対する各ベルト部１５の係止状態が解除される。
【００２９】
続けて、そのスリングパッド１１を、図２（ｂ）に示すように、本体部１２を裏返し、第１層１３が内側となり、第２層１４が外側となるようにして、本体部１２を丸め、その内側に乳幼児Ｂ（図３参照）を収容する。このとき、各ベルト部１５は、固定部１６の各縫合線１６ａ，１６ｂ，１６ｃのうち、二等辺三角形の底辺となる第３の縫合線１６ｃが折り返し線となって、図２（ｂ）に示す状態から上方へ環状の肩掛けベルトとなるように反転させられる。
【００３０】
そして、本体部１２の裏面側の四隅に設けられた雄ホック２１ａと雌ホック２１ｂとを嵌め合わせる共に、雄ホック２２ａと雌ホック２２ｂとを嵌め合わせる。さらに必要であれば、本体部１２の裏面側で短手方向の両端にそれぞれ設けられた雄ホック１７ａと雌ホック１９ｂとを嵌め合わせると共に、雄ホック１８ａと雌ホック２０ｂとを嵌め合わせ、本体部１２によって乳幼児Ｂを包み込むようにする。なお、このとき、乳幼児Ｂの肌には本体部１２において肌触りのよい第１層１３が触れることになる。
【００３１】
この状態で、図３に示すように、本体部１２を運搬者Ｍの身体の前側に配置して、２つのベルト部１５を環状の肩掛けベルトになるように各ベルト部１５の長手方向の中央部を本体部１２から離間させる。そして、そのように環状の肩掛けベルトになった２つのベルト部１５をまとめ、運搬者Ｍが一方の肩から他方の脇に斜めにかけると、スリングパッド１１は、運搬者Ｍが両手を拘束されない状態で乳幼児Ｂを運搬可能なスリングとして使用することができるようになる。
【００３２】
以上説明したように、本実施形態によれば以下のような効果を得ることができる。
（１）スリングパッド１１は、ベルト部係止手段を構成する各ホック１７〜２０により各ベルト部１５を本体部１２の裏面側に係止状態にしたまま、その本体部１２の表面側が乳幼児に触れるようにして、その本体部１２を乳幼児の身体上に掛けるようにすれば、ベルト部１５を乳幼児に絡ませることなく、乳幼児用掛け具として使用することができる。一方、その状態から、ベルト部係止手段を構成する各ホック１７〜２０によるベルト部１５の本体部１２に対する係止状態を解除し、その本体部１２により乳幼児を包み込むとともに、ベルト部１５により環状をなす肩掛けベルトを形成して肩に掛けるようにすれば、緊急時においても素早く乳幼児を包み込んで運搬するスリングとしても使用できる。
【００３３】
（２）スリングパッド１１は、各ベルト部１５が、ベルト部係止手段を構成する各ホック１７〜２０によって本体部１２の裏面上に重なった状態に係止されることにより、本体部１２から大きく垂れ下がらず、纏まりのある状態となって本体部１２と一体的に取り扱い可能な係止状態となる。したがって、このスリング兼用掛け具としてのスリングパッド１１を洗濯する場合においてはベルト部１５がばらけてしまうことを抑制できる。また、このスリングパッド１１を乳幼児用掛け具として使用した場合にはベルト部１５が乳幼児に絡まったりすることを抑制できる。
【００３４】
（３）スリングパッド１１は、本体部１２を裏面側が内側になるようにして２つ折りにし、その２つ折りにしたことにより対向することになった四隅の雌ホック２１ｂ，２２ｂと雄ホック２１ａ，２２ａとを係止させれば、本体部１２をベルト部１５が内側に隠された状態で半分のサイズになった乳幼児用掛け具として使用可能になる。そして、この場合において本体部１２は平面視長方形状をなしているので、２つ折りにする際の折曲方向を適宜に選択することにより、乳幼児の身体の成長段階に適合したサイズの乳幼児用掛け具として利用することができる。
【００３５】
（４）スリングパッド１１は、スリングとして使用する際に、各ベルト部１５の長手方向において幅広の中央部を肩に掛けることができるため、スリングとしての使用時の安定感が増すとともに、スリング使用者である運搬者Ｍにかかる負荷を抑制することができる。また、本体部１２の裏面側において留め具としての雌雄各ホック２１，２２が設けられる四隅は各ベルト部１５における外側縁１５ａの両端側の部分が本体部１２の長辺１２Ｌからベルト部１５の長手方向端部側ほど次第に離間する斜状に形成されていることから、ベルト部１５により覆われることなく露出していることになる。したがって、雌雄各ホック２１，２２をベルト部１５による位置的な制約を受けることなく、本体部１２の四隅に確実に配置することができ、スリングとして使用する際に、乳幼児を収容する本体部１２の内部空間を広く確保することができる。
【００３６】
（５）スリングパッド１１は、スリングとして使用される際に、乳幼児Ｂを包み込んだ本体部１２の荷重が主に各ベルト部１５の両端部において折り返しされた斜状の第３の縫合線１６ｃの部分にかかる態様となる。そのため、本体部１２内に乳幼児Ｂを収容して運搬者Ｍがベルト部１５を肩に掛けた場合には本体部１２の屈曲程度が緩和されて、乳幼児Ｂの体が過度に丸められることが抑制されるので、乳幼児Ｂを楽に呼吸を継続することのできる姿勢に保持できる。
【００３７】
（６）このスリングパッド１１では、本体部１２における裏面側の短手方向両端部に、それぞれ雄ホック１７ａ，１８ａと雌ホック１９ｂ，２０ｂが短手方向で互いに対応する位置に設けられている。したがって、このスリングパッド１１をスリングとして使用する際には、本体部１２を裏返した後、短手方向両端部に設けられた雄ホック１７ａ，１８ａと雌ホック１９ｂ，２０ｂを係止させることにより本体部１２を筒状に保持することが可能となる。その結果、本体部１２内に乳幼児Ｂを収容した際に、乳幼児Ｂが外部に露出することを抑制してより確実に保持することができる。
【００３８】
（変更例）
なお、上記実施形態は、次のように変更して具体化することも可能である。
・上記実施形態において、ベルト部係止手段を構成する各ホック１７〜２０は、本体部１２側及びベルト部１５側の一方に雄ホック１７ａ〜２０ａを設けると共に、本体部１２側及びベルト部１５側の他方に雌ホック１７ｂ〜２０ｂを設けるようにしてもよい。あるいは逆に、本体部１２側及びベルト部１５側の一方に雌ホック１７ｂ〜２０ｂを設けると共に、本体部１２側及びベルト部１５側の他方に雄ホック１７ａ〜２０ａを設けるようにしてもよい。
【００３９】
・上記実施形態において、各ベルト部１５の固定部１６は、斜状に延びる第３の縫合線１６ｃのみで構成されていてもよい。または、斜状に延びる第３の縫合線１６ｃを含まない固定部１６であってもよく、例えば、ベルト部１５の短手方向に沿って直線状に延びる第１の縫合線１６ａだけで構成されたものであってもよい。
【００４０】
・上記実施形態において、ベルト部１５は、その外側縁１５ａも内側縁１５ｂと同様に本体部１２の長辺１２Ｌと平行な直線状をなした構成であってもよい。
・上記実施形態において、本体部１２は、平面視四角形状ならば、長方形状に限らず、正方形状であってもよい。また、平面視四角形状ではなく、平面視で楕円形状や円形状に形成されたものであってもよい。
【００４１】
・上記実施形態において、各ベルト部１５は、本体部１２の裏面側にばらけることなく係止される構成ならば、本体部１２の裏面側に対向面を重ね合わせて係止される構成でなくてもよい。
【００４２】
・上記実施形態において、ベルト部１５を本体部１２の裏面側に係止するベルト部係止手段は、ホック１７〜２０に限らず、面上ファスナ等の他の係止手段でもよい。
【図面の簡単な説明】
【００４３】
【図１】（ａ）は実施形態のスリングパッドの表面側を示す平面図、（ｂ）は同じくスリングパッドの裏面側を示す平面図。
【図２】（ａ）及び（ｂ）は、実施形態のスリングパッドの使い方を示す説明図。
【図３】実施形態のスリングパッドをスリングとして使用する場合の説明図。
【符号の説明】
【００４４】
１１…スリング兼用掛け具としてのスリングパッド、１２…本体部、１３…第１層、１４…第２層、１５…ベルト部、１６…固定部、１７〜２０…としてのホック、２１，２２…としてのホック。
【図１】
2008245750.tif 000003
【図２】
2008245750.tif 000004
【図３】
2008245750.tif 000005